(57)【要約】      （修正有）【課題】２層ディスクの第１の層を記録または再生している時に、他層である第２の層からの反射光が外乱となるいわゆる層間クロストークが発生して、情報再生信号またはサーボ信号に影響を与えることを防止する。【解決手段】光ディスク１００の第１の層１００ａに集光され、第１の層１００ａで反射された第１の光ビームと、光ディスク１００の第１の層１００ａに集光された後に、第１の層１００ａとは異なる第２の層１００ｂで反射される外乱となる第２の光ビームとが、光検出器８内の受光面に重複して入射する領域内に、第１の光ビームと、外乱となる第２の光ビームの偏光方向が互いに直交する領域を形成するための形成手段を設ける。形成手段は、例えば、第１の光ビーム及び第２の光ビームの全部又は一部の偏光方向を変化させるための偏向方向変換素子６を用いて構成できる。【選択図】図１
2011138605.tif 000002
【特許請求の範囲】
【請求項１】
第１の層と第２の層を有する光ディスクに光ビームを照射して前記光ディスクからの戻り光を受光する光ピックアップであって、
半導体レーザと、
前記半導体レーザから出射された光ビームを光ディスクに集光する対物レンズと、
前記光ディスクで反射された前記光ビームを検出する光検出器と、
前記光ディスクで反射された前記光ビームのうち、前記光ディスクの第１の層に集光され、前記第１の層で反射された光ビームを第１の光ビームと定義し、前記光ディスクの前記第１の層に集光され、前記第１の層に集光される前または集光された後に、前記第１の層とは異なる第２の層で反射される光ビームを第２の光ビームと定義した場合に、前記第１の光ビームと前記第２の光ビームが前記光検出器内の受光面に重複して入射する領域内において、前記第１の光ビームと前記第２の光ビームの偏光方向が互いに直交する領域を形成する形成手段とを備えることを特徴とする光ピックアップ。
【請求項２】
請求項１記載の光ピックアップにおいて、
前記形成手段は、前記第１の光ビーム及び前記第２の光ビームの全部又は一部の偏光方向を変化させるための偏光方向変換素子であり、該偏光方向変換素子は前記対物レンズと前記光検出器とを結ぶ光路中に配置されており、前記偏光方向変換素子を透過した前記第１の光ビームと前記第２の光ビームが前記光検出器内の受光面領域に重複して入射する受光面領域内では、所定の領域内において前記第１の光ビームと前記第２の光ビームの偏光方向が互いに直交していることを特徴とする光ピックアップ。
【請求項３】
請求項２記載の光ピックアップにおいて、前記偏光方向変換素子は全部または一部の領域が波長板によって構成されていることを特徴とする光ピックアップ。
【請求項４】
請求項３記載の光ピックアップにおいて、前記半導体レーザから出射する光ビームの波長をλとすると、前記波長板は２分の１λ波長板であることを特徴とする光ピックアップ。
【請求項５】
請求項３又は４記載の光ピックアップにおいて、前記偏光方向変換素子は所定のパターンを有する波長板によって構成されており、該パターンは短冊状になっている事を特徴とする光ピックアップ。
【請求項６】
請求項３又は４記載の光ピックアップにおいて、前記偏光方向変換素子は所定のパターンを有する波長板によって構成されており、該パターンは縞状になっている事を特徴とする光ピックアップ。
【請求項７】
請求項３又は４記載の光ピックアップにおいて、前記偏光方向変換素子は所定のパターンを有する波長板によって構成されており、該パターンは千鳥格子状になっている事を特徴とする光ピックアップ。
【請求項８】
請求項１〜７のいずれか記載の光ピックアップと、前記光ピックアップ内の前記半導体レーザを駆動するレーザ駆動回路と、前記光ピックアップ内の前記光検出器から検出された信号を用いてフォーカス誤差信号及びトラッキング誤差信号の少なくとも一方を生成するサーボ信号生成回路と、光ディスクに記録された情報信号を再生する情報信号再生回路とを搭載したことを特徴とする光ディスク装置。
【発明の詳細な説明】
【技術分野】
【０００１】
本発明は、少なくとも２層の情報記録層を有する光ディスクに対応した光ピックアップ、及び、その光ピックアップを搭載した光ディスク装置に関する。
【背景技術】
【０００２】
片面に複数の記録層を持つ記録媒体の記録及び／または再生のための光ピックアップとして、例えば特許文献１（１０頁）には「隣接層による干渉光が光検出器に受光されることを抑制する光学部材を具備する」光ピックアップが開示されており、更に、「前記光学部材は、少なくとも片面に複数の記録層を持つ光情報保存媒体の適用時、隣接層で反射された光の一部を回折させる回折領域を具備する」光ピックアップが開示されている。
【先行技術文献】
【特許文献】
【０００３】
【特許文献１】特開２００５−２０３０９０号公報
【発明の概要】
【発明が解決しようとする課題】
【０００４】
ところで、年々規模が増え続け大容量化するデジタル情報の記録に対応するため、次世代の高密度光ディスクとして波長４０５ｎｍの青紫色レーザ、開口数（ＮＡ）０．８５の高ＮＡ対物レンズ、基板厚さ０．１ｍｍのディスク媒体を用いたＢｌｕ−ｒａｙ  Ｄｉｓｃ（ＢＤ）や、同じく波長４０５ｎｍの青紫色レーザ、ＮＡ０．６５、基板厚さ０．６ｍｍのディスク媒体を用いたＨＤ  ＤＶＤなどが提案されている。
【０００５】
上記した次世代の高密度光ディスクに関してはＤＶＤと同様、片面に２層の情報記録層を有する構成として容量を増やす２層ディスクの規格が存在するため、ＢＤやＨＤ  ＤＶＤなどの次世代の高密度光ディスクに対応する光ピックアップの開発においては、これら２層ディスクの対応を視野に入れる必要がある。
【０００６】
ここで２層ディスクに対応する光ピックアップに関しては２層ディスクの第１の層を記録または再生している時に、他層である第２の層からの反射光が外乱となって情報再生信号またはサーボ信号に影響（層間クロストーク）を与えないことが重要となる。特にメインビームとサブビームの光量差が大きい３ビームを用いたサーボ信号検出方式を用いる場合、一般に分光比の設定としてメインビームの光量はサブビームの光量の約１０倍以上であるため、第２の層からの反射光であってもそれがメインビームであればサブビームにとっては無視できない光量となり、十分外乱となりうる。そのためサブビームを受光する受光面に外乱である第２の層からのメインビームが漏れ込むと、両者のビームが干渉を起こし、サブビームによる出力信号が揺らいでしまう。
【０００７】
つまり特許文献１においては２層ディスクの第１の層を記録または再生している時に、外乱である第２の層からの反射光の一部を回折させて受光面に入射させない構成とすることで、干渉による出力信号の揺らぎを抑制している。しかしながら第１の層からの反射光と第２の層からの反射光は同じ光軸であるため、このような構成にして第２の層からの反射光を回折させてしまうと、本来は回折させたくない第１の層からの反射光もその一部を回折してしまい、結果として検出光量が低下してしまう。このように検出光量の低下が生じると、情報信号の品質低下してしまう。
【０００８】
本発明は上記事情に鑑みなされたものであり、２層ディスクの第１の層を再生している時に外乱となる第２の層からの反射光が情報再生信号またはサーボ信号に影響を与えることなく、かつ第１の層からの反射光に対しては検出光量を低下させずに良好な信号品質を確保できる光ピックアップ、ならびに該光ピックアップを用いた光ディスク装置を提供する事を目的とする。
【課題を解決するための手段】
【０００９】
上記課題を解決するため、本発明では、第１の層と第２の層を有する光ディスクに光ビームを照射して前記光ディスクからの戻り光を受光する光ピックアップであって、半導体レーザと、前記半導体レーザから出射する光ビームを光ディスクに集光する対物レンズと、前記光ディスクを反射した前記光ビームを検出する光検出器と、前記光ディスクを反射した前記光ビームのうち、前記光ディスクの第１の層に集光する光ビームが前記第１の層で反射する光ビームを第１の光ビームと定義し、前記光ディスクの前記第１の層に集光する光ビームが前記第１の層に集光する集光前または集光後に、前記第１の層とは異なる第２の層で反射する光ビームを第２の光ビームと定義した場合に、前記第１の光ビームと前記第２の光ビームが前記光検出器内の受光面に重複して入射する領域内において、前記第１の光ビームと前記第２の光ビームの偏光方向が互いに直交する領域を形成する形成手段とを備える光ピックアップを用いる。
【００１０】
また、上記光ピックアップにおいて、上記手段は、第１の光ビーム及び第２の光ビームの全部又は一部の偏光方向を変化させるための偏光方向変換素子であることが好ましく、偏光方向変換素子は対物レンズと光検出器とを結ぶ光路中に配置されていることが好ましい。このような偏光方向変換素子を透過した第１の光ビームと第２の光ビームが前記光検出器内の受光面領域に重複して入射する受光面領域内では、所定の領域内において前記第１の光ビームと前記第２の光ビームの偏光方向が互いに直交する。偏光方向変換素子は対物レンズと前記光検出器とを結ぶ光路中に配置されていることが好ましい。
【００１１】
また上記光ピックアップにおいて、前記偏光方向変換素子は全部又は一部の領域が波長板によって構成されていることが好ましく、半導体レーザから出射する光ビームの波長をλとすると、波長板は２分の１λ波長板であることが好ましい。また、偏光方向変換素子は、所定のパターンを有する波長板によって構成されていることが好ましく、所定のパターンは例えば短冊状、縞状または千鳥格子状になっていることが好ましい。
【００１２】
また、上記課題を解決するため、本発明では、上記光ピックアップと、該光ピックアップ内の半導体レーザを駆動するレーザ駆動回路と、光ピックアップ内の光検出器から検出された信号を用いてフォーカス誤差信号やトラッキング誤差信号を生成するサーボ信号生成回路と、光ディスクに記録された情報信号を再生する情報信号再生回路とを搭載した光ディスク装置を用いる。
【発明の効果】
【００１３】
本発明によれば、２層ディスクに対応し、良好な信号品質を確保した信頼性の高い光ピックアップ、この光ピックアップを搭載した光ディスク装置を提供することが可能となる。
【図面の簡単な説明】
【００１４】
【図１】本発明における光ピックアップの光学系構成を示した概略図である。
【図２】波長板パターンの第１実施例を示した概略図である。
【図３】受光面上に集光する光ビームの偏光方向パターンの第１実施例を示した概略図である。
【図４】波長板パターンの第２実施例を示した概略図である。
【図５】受光面上に集光する光ビームの偏光方向パターンの第２実施例を示した概略図である。
【図６】波長板パターンの第３実施例を示した概略図である。
【図７】受光面上に集光する光ビームの偏光方向パターンの第３実施例を示した概略図である。
【図８】波長板パターンの第４実施例を示した概略図である。
【図９】受光面上に集光する光ビームの偏光方向パターンの第４実施例を示した概略図である。
【図１０】波長板パターンの第５実施例を示した概略図である。
【図１１】受光面上に集光する光ビームの偏光方向パターンの第５実施例を示した概略図である。
【図１２】本発明における光ディスク装置を示した概略図である。
【発明を実施するための形態】
【００１５】
本発明を実施するための実施の形態について、以下説明する。
【実施例１】
【００１６】
図１は本発明における光ピックアップに関する実施例を示したものである。
【００１７】
本実施例の光ピックアップは、３ビームを用いたサーボ信号検出方式に従う光ピックアップであり、図１（ａ）に示すように、波長λの光ビームを出射する半導体レーザ１と、光ビームを光ディスク１００上に集光する対物レンズ５と、光ビームの全部又は一部の偏光方向を変化させる偏光方向変換素子６と、光ディスクを反射した光ビームを検出する光検出器８とを主に備える。
【００１８】
半導体レーザ１を出射した波長λの光ビームは３ビーム生成用の回折格子２によって少なくとも３本の光ビームに回折されてビームスプリッタ３で反射される。またビームスプリッタ３で反射された光ビームはコリメートレンズ４によって略平行光にされ、対物レンズ５によって例えば片面２層の光ディスク１００の情報記録面上に集光される。本実施例では、光ディスク１００は、第１の層１００ａと、第２の層１００ｂとの２つの情報記録面を有しており、光ビームが入射する側に位置する情報記録面を第１の層１００ａで示している。
【００１９】
ここで図１（ａ）は、光ディスク１００の第１の層１００ａに集光された光が第１の層１００ａで反射される様子を示しており、図１（ｂ）は、光ディスク１００の第１の層１００ａに集光された光が、第１の層１００ａを僅かに透過して第２の層１００ｂで反射される様子を示している。つまり図１（ａ）に示す光ビームは情報再生信号検出用またはサーボ信号検出用の光ビームを表しており、図１（ｂ）に示す光ビームが外乱となる光ビームを表している。
【００２０】
第１の層１００ａまたは第２の層１００ｂで反射された光ビームは往路と逆の経路をたどって対物レンズ５、コリメートレンズ４を経てビームスプリッタ３を透過する。またビームスプリッタ３を透過した光ビームは後述する所定の領域における光ビームの偏光方向を変化させる偏光方向変換素子６を透過し、検出レンズ７によって非点収差方式によるフォーカス誤差信号を検出できるような非点収差を付加され、光検出器８に集光する構成となっている。
【００２１】
本実施例の光ピックアップは、光検出器８内の受光面上において図１（ｂ）に示す外乱となる光ビームが、図１（ａ）に示す情報再生信号検出用またはサーボ信号検出用の光ビームと干渉を起こして出力信号が揺らいでしまうのを抑制するように構成されている。特にメインビームとサブビームの光量差が大きい３ビームを用いたサーボ信号検出方式において、サブビームを検出する受光面に該サブビームの光量に比べて比較的光量の大きいメインビームの外乱が入射することで干渉が生じて、サーボ信号の出力が揺らぐのを抑制する構成としている。
【００２２】
本実施例では偏光方向変換素子６を用いて、図１（ａ）に示す情報再生信号検出用またはサーボ信号検出用の光ビームの偏光方向と、図１（ｂ）に示す外乱となる光ビームの偏光方向とが、光検出器８内の受光面上の所定領域において互いに直交するように設定している。本実施例では、このように偏光方向を変化させるだけなので、途中で回折等による光ビームの「けられ」は発生せず、検出光量を低下させずに良好な信号品質を確保することができる。
【００２３】
本実施例では、好ましい態様として、偏光方向変換素子６を、ビームスプリッタ３と検出レンズ７の間の光路上に配置させているが、偏向方向変換素子６の位置はこの位置に限定されず、半導体レーザ１から出射して光ディスク１００に入射するまでの光路以外の光路上に配置されていることが好ましい。半導体レーザ１から出射して光ディスク１００に入射するまでの光路以外の光路上に配置させることにより、光ディスクに入射する光ビームに影響を与えるこがなく、光ディスクから良好に信号を検出することができる。
【００２４】
本実施例における偏光方向変換素子６は、図２に示すように、例えば領域６ａと６ｂで表す２つの領域に分割したパターンを有しており、直線偏光の光ビームが偏光方向変換素子６に入射した場合に、領域６ａを通過した光ビームの偏光方向と領域６ｂを通過した光ビームの偏光方向が互いに直交するように、領域６ａと領域６ｂに２分の１波長板の機能を持たせている。もちろん、領域６ａを通過した光ビームの偏光方向と領域６ｂを通過した光ビームの偏光方向を互いに直交させることができるのであれば、領域６ａと領域６ｂの両方に波長板の機能を持たせる必要は無く、片方の領域のみに波長板の機能を持たせても一向に構わない。例えば領域６ａのみ２分の１波長板の機能を持たせて、領域６ａを通過した光ビームの偏光のみ９０度回るように構成することで、領域６ａを通過した光ビームの偏光方向と領域６ｂを通過した光ビームの偏光方向を互いに直交させることができる。
【００２５】
偏光方向変換素子６を図２に示す２分割した波長板のパターンで構成した場合、光検出器８内の受光面上における光ビームの偏光方向のパターンは波長板のパターンに対応したものとなり、そのパターンを図３に示す。図３（ａ）は、図１（ａ）に示す情報再生信号検出用またはサーボ信号検出用の光ビームが光検出器８内の受光面８０、８１、８２に集光された際の偏光方向を概念的に表したものであり、図３（ｂ）は図１（ｂ）に示す外乱となる光ビームが受光面８０、８１、８２に集光した際の偏光方向を概念的に表したものである。本実施例において、受光面８０は、メインビームの受光面であり、受光面８１及び８２はサブビームの受光面である。図１（ｂ）に示す外乱となる光ビームが受光面８０、８１、８２に集光された際の光照射領域（光スポット）は、情報再生信号検出用またはサーボ信号検出用の光ビームが光検出器８内の受光面８０、８１、８２に集光された際の光照射領域（光スポット）よりも大きく、受光面８０、８１及び８２すべてを覆うような大きさになっている。
【００２６】
図３（ａ）において、受光面８０、８１、８２上の半円状の領域３００ａ、３０１ａ、３０２ａは、図２の偏光方向変換素子６の領域６ａを通過した光ビームの照射領域に対応しており、領域３００ｂ、３０１ｂ、３０２ｂは、偏向方向変換素子６の領域６ｂを通過した光ビームの照射領域に対応している。つまり領域３００ａ、３０１ａ、３０２ａに照射されている光ビームの偏光方向は、偏光方向変換素子６の領域６ａを通過した光ビームの偏光方向と同じになり、領域３００ｂ、３０１ｂ、３０２ｂに照射されている光ビームの偏光方向は、偏光方向変換素子６の領域６ｂを通過した光ビームの偏光方向と同じになる。なお図３（ａ）において、それぞれの受光面上における偏光方向のパターンが図２に示すパターンに対して９０度傾いたパターンになっているのは、図１で示したように本実施例では非点収差方式によるフォーカス誤差信号の検出を行うため、検出レンズ７によって受光面の暗線に対して略４５度方向の非点収差を与えているからである。しかし、これ自体については本発明の本質ではないため詳細については省略する。
【００２７】
また図３（ｂ）における半円状の領域２００ａは、光ディスク１００の第１の層１００ａから情報再生信号又はサーボ信号を検出する際に外乱となる第２の層１００ｂで反射した光ビームのうち、図２の偏光方向変換素子６の領域６ａを通過した光ビームが光検出器に照射されたときに光検出器の受光面上に形成される光照射領域に対応しており、領域２００ｂは、外乱となる第２の層１００ｂで反射した光ビームのうち、偏光方向変換素子６の領域６ｂを通過した光ビームが光検出器に照射されたときに光検出器の受光面上に形成される光照射領域に対応している。つまり領域２００ａにおける光ビームの偏光方向は、偏向方向変換素子６の領域６ａを通過した光ビームの偏光方向と同じになり、領域２００ｂにおける光ビームの偏光方向は、偏光方向変換素子６の領域６ｂを通過した光ビームの偏光方向と同じになる。なお便宜上、本図においては外乱として一番光量が大きいメインビームのみ描写している。
【００２８】
以上述べたように図３（ａ）と図３（ｂ）の図中において、色が濃い部分の偏光方向と色が薄い部分の偏光方向とが互いに偏光方向が直交している事になる。すなわち、色の濃い部分と色の薄い部分が重なっている領域では、互いに偏向方向の直交している光ビームが照射されていることになる。そこで、光検出器の各受光面内における偏光方向のパターンを見比べてみると、情報再生信号検出用またはサーボ信号検出用の光ビームの偏光方向と、外乱となる光ビームの偏光方向とは、少なくとも半分の領域において、互いに偏光方向を直交させる事が出来る。例えば、受光面８１の領域３０１ａでは、偏光方向変換素子６の領域６ａを透過した情報再生信号検出用またはサーボ信号検出用の光ビームと、偏光方向変換素子６の領域６ｂを透過した外乱となる光ビームとが重なり合っている。これらの光は偏向方向が直交しているので互いに干渉されることはなく、その結果、出力信号の揺らぎも発生しない。このように本実施例では、図２に示すような偏光方向変換素子６を用いて、両者の偏光方向を直交させることによって検出光量を低下させずに、干渉によるサーボ信号の出力揺らぎを抑制することが出来る。
【実施例２】
【００２９】
本発明において、偏光方向変換素子６における波長板のパターンは図２のパターンに限定されるわけではなく、例えば図４のような線状のパターンであっても良い。すなわち、本実施例の偏光方向変換素子６は、幅方向に３つの領域に分割されて構成されており、ほぼ中央に所定の幅の矩形状の領域６ａが形成され、その両側に領域６ｂが形成されている。ここで直線偏光の光ビームが偏光方向変換素子６に入射した場合に、領域６ａを通過した光ビームの偏光方向と領域６ｂを通過した光ビームの偏光方向が互いに直交するように、領域６ａまたは領域６ｂに２分の１波長板の機能を持たせている。
【００３０】
本実施例では、受光面内の所定領域において、情報再生信号検出用またはサーボ信号検出用の光ビームの偏光方向と、外乱となる光ビームの偏光方向とを直交させ、かつ、それら偏向方向が互いに直交する光ビームが重複して照射される領域の面積を出来るだけ大きくすることができる。
【００３１】
その観点から、本実施例は波長板のパターン６ａを最適化した一例である。ここで図５（ａ）は図１（ａ）に示す情報再生信号検出用またはサーボ信号検出用の光ビームが図４に示す波長板のパターンによって光検出器８内の受光面８０、８１、８２に集光した際の偏光方向を表したものであり、図５（ｂ）は図１（ｂ）に示す外乱となる光ビームが図４に示す波長板のパターンによって受光面８０、８１、８２に集光した際の偏光方向を表したものである。
【００３２】
つまり図５（ａ）及び図５（ｂ）の図中において、色が濃い部分の偏光方向と色が薄い部分の偏光方向とは互いに偏光方向が直交している事になるので、本実施例におけるパターンとすることで、受光面上においては実施例１よりも直交する領域の面積を格段に大きくすることができる。
【００３３】
本実施例においては、図５（ｂ）の２００ａで示される領域の横幅が、光検出器８の各受光面８０、８１、８２の横幅とほぼ同じか、または対物レンズのレンズシフトに相当する分だけ若干広くなるように、偏光方向変換素子の領域６ａが構成されていることが好ましい。すなわち、外乱となる光ビームが、偏光方向変換素子６の領域６ａを透過して光検出器８の受光面８０、８１及び８２に照射されたときに、照射光の幅が、受光面の幅とほぼ同じかまたは対物レンズのレンズシフトに相当する分だけ若干広くなるように、偏光方向変換素子の領域６ａが構成されていることが好ましい。こうすることにより、光検出器８のそれぞれの受光面８０、８１及び８２において、偏向方向が互いに直交する光ビームが重なり合って照射される領域の面積を大きくすることができる。
【実施例３】
【００３４】
さらに、偏光方向変換素子６の領域６ａの形状を最適化した一例として、図６のような短冊状パターンにしても良い。すなわち、本実施例の偏光方向変換素子６は、ほぼ中央に長方形状の領域６ａが形成され、その周囲に領域６ｂが形成されている。ここで直線偏光の光ビームが偏光方向変換素子６に入射した場合に、領域６ａを通過した光ビームの偏光方向と領域６ｂを通過した光ビームの偏光方向が互いに直交するように、領域６ａまたは領域６ｂに２分の１波長板の機能を持たせている。
【００３５】
本実施例のようなパターンとした場合、図７（ａ）は図１（ａ）に示す情報再生信号検出用またはサーボ信号検出用の光ビームが図６に示す波長板のパターンによって光検出器８内の受光面８０、８１、８２に集光した際の偏光方向を表したものであり、図７（ｂ）は図１（ｂ）に示す外乱となる光ビームが図６に示す波長板のパターンによって受光面８０、８１、８２に集光した際の偏光方向を表したものである。
【００３６】
図７（ａ）、（ｂ）の図中において、色が濃い部分の偏光方向と色が薄い部分の偏光方向とは互いに偏光方向が直交している事になるので、本実施例におけるパターンとすることで、受光面上においては実施例２よりも直交する領域の面積をさらに大きくすることができる。
【００３７】
なお本実施例において波長板パターンの短冊の形状は長方形に限定されるものではなく、ひし形や平行四辺形ならびに多角形であっても良い。
【実施例４】
【００３８】
本発明における偏光方向変換素子６における波長板パターンの別の実施例を図８に示す。本実施例では図８のような縞状パターンにしている。
【００３９】
本実施例を適用した場合の受光面上における情報再生信号検出用またはサーボ信号検出用の光ビームの偏光方向パターンを図９（ａ）に、また外乱となる光ビームの偏光方向パターンを図９（ｂ）に示す。図９（ａ）及び（ｂ）の図中において、色が濃い部分の偏光方向と色が薄い部分の偏光方向とは互いに偏光方向が直交している事になるので、本実施例における波長板パターンとすると、受光面内の領域において情報再生信号検出用またはサーボ信号検出用の光ビームの偏光方向と、外乱となる光ビームの偏光方向とが直交する領域の面積は減少するが、偏光方向変換素子６の位置ずれ、特に図８においては紙面に対して横方向の位置ずれに対する性能劣化の感度を緩くすることが出来る。
【００４０】
なお縞の間隔に関しては、図中に示した間隔に限定されるものではなく、さらに細かい間隔となっても一向に構わない。細かくすることで、偏光方向変換素子６の位置ずれ、図８においては紙面に対して横方向の位置ずれに対する性能劣化の感度をさらに緩くすることが出来る。
【実施例５】
【００４１】
実施例４に対し、さらに偏光方向変換素子６の位置ずれに対する性能劣化を緩和した実施例を図１０に記す。本実施例では図１０のような千鳥格子状パターンにしている。
【００４２】
本実施例を適用することにより、受光面内の領域において情報再生信号検出用またはサーボ信号検出用の光ビームの偏光方向と、外乱となる光ビームの偏光方向とが直交する領域の面積は図１１（ａ）（ｂ）に示すとおり実施例４と同様に減少するが、偏光方向変換素子６の位置ずれ、特に図１０においては紙面に対して横方向のみならず縦方向の位置ずれに対する性能劣化の感度も緩くすることが出来る。
【００４３】
なお千鳥格子の格子間隔に関しては、図中に示した間隔に限定されるものではなく、さらに細かい間隔となっても一向に構わない。細かくすることで、偏光方向変換素子６の位置ずれ、図１０においては紙面に対して横方向ならびに縦方向の位置ずれに対する性能劣化の感度をさらに緩くすることが出来る。
【実施例６】
【００４４】
本発明の光ピックアップ装置を搭載した光ディスク装置に関する実施例を図１２に示す。符号７０は例えば図１に示すような構成を有する光ピックアップである。なお光ピックアップ７０には光ディスク１００の半径方向に位置をスライドできる機構が設けられており、アクセス制御回路７２からのアクセス制御信号に応じて位置制御がおこなわれる。
【００４５】
レーザ駆動回路７７からは所定のレーザ駆動電流が光ピックアップ装置７０内の半導体レーザに供給され、再生または記録に応じて所定の光量でレーザ光が出射する。なおレーザ駆動回路７７は光ピックアップ７０の中に組み込まれていても良い。
【００４６】
光ピックアップ７０内の光検出器から検出された信号は、サーボ信号生成回路７４及び情報信号再生回路７５に送られる。サーボ信号生成回路７４では、これら検出信号からフォーカスエラー信号やトラッキングエラー信号が生成され、これを基にアクチュエータ駆動回路７３を経て光ピックアップ７０内のアクチュエータを駆動することによって対物レンズの位置制御がおこなわれる。
【００４７】
また情報信号再生回路７５では検出信号から光ディスク１００に記録された情報信号が再生される。なおサーボ信号生成回路７４及び情報信号再生回路７５で得られた信号の一部はコントロール回路７６に送られる。このコントロール回路７６にはレーザ駆動回路７７、アクセス制御回路７２、アクチュエータ駆動回路７３、スピンドルモータ駆動回路７１などが接続されており、それぞれ光ピックアップ７０内の半導体レーザ発光光量の制御、アクセス方向および位置の制御、光ディスク１００を回転させるスピンドルモータ６０の回転制御等が行われる。
【００４８】
以上、本発明に従う光ピックアップ及びそれを用いた光ディスク装置について、実施例により詳細に説明したが、本発明は、これら実施例に限定されるものではなく、本発明の主旨を逸脱しない範囲において、種々の改良や変更を行ってもよい。
【００４９】
例えば、図１に示した光学系では、半導体レーザを１つだけ図示したものとなっているが、本発明における光学系はこれに限定されるものではなく、例えばＢＤ、ＤＶＤ、ＣＤといったように複数の光ディスクに対応する場合は、それぞれの光ディスクに対応した互いに波長の異なる複数の半導体レーザを搭載していても良い。
【００５０】
また、その場合、それぞれの半導体レーザから出射した光ビームを合成するためのビームスプリッタ等の光学部品を追加しても構わない。
【００５１】
また、図３、図５、図７、図９及び図１１では、受光面８０、受光面８１、受光面８２の分割数を各々、４分割、２分割、２分割として図示しているが、本発明における受光面の分割数はこれに限定されるわけではなく、受光面８０、受光面８１、受光面８２いずれも４分割で構成して、田の字が３つ並んだ合計１２分割の受光面で光検出器を構成しても構わない。
【符号の説明】
【００５２】
１・・・半導体レーザ、２・・・回折格子、３・・・ビームスプリッタ、
４・・・コリメートレンズ、５・・・対物レンズ、６・・・偏光方向変換素子、
６ａ，６ｂ・・・偏光方向変換素子の波長板のパターン、
７・・・検出レンズ、８・・・光検出器、
６０・・・スピンドルモータ、７０・・・光ピックアップ、
７１・・・スピンドルモータ駆動回路、７２・・・アクセス制御回路、
７３・・・アクチュエータ駆動回路、７４・・・サーボ信号生成回路、
７５・・・情報信号再生回路、７６・・・コントロール回路、７７・・・レーザ駆動回路、
８０，８１，８２・・・光検出器内の受光面、
１００・・・光ディスク、１００ａ・・・光ディスク第１の層、１００ｂ・・・光ディスク第２の層
２００ａ，２００ｂ・・・外乱となる光ビームの受光面上偏光方向パターン
３００ａ，３００ｂ，３０１ａ，３０１ｂ，３０２ａ，３０２ｂ・・・サーボ信号検出用の光ビームの受光面上偏光方向パターン
【図１】
2011138605.tif 000003
【図２】
2011138605.tif 000004
【図３】
2011138605.tif 000005
【図４】
2011138605.tif 000006
【図５】
2011138605.tif 000007
【図６】
2011138605.tif 000008
【図７】
2011138605.tif 000009
【図８】
2011138605.tif 000010
【図９】
2011138605.tif 000011
【図１０】
2011138605.tif 000012
【図１１】
2011138605.tif 000013
【図１２】
2011138605.tif 000014
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
第１の層と第２の層を有する光ディスクに光ビームを照射して前記光ディスクからの戻り光を受光する光ピックアップであって、
半導体レーザと、
前記半導体レーザから出射された光ビームを光ディスクに集光する対物レンズと、
前記光ディスクで反射された前記光ビームを検出する光検出器と、
前記光ディスクで反射された前記光ビームのうち、前記光ディスクの第１の層に集光され、前記第１の層で反射された光ビームを第１の光ビームと定義し、前記光ディスクの前記第１の層に集光され、前記第１の層に集光される前または集光された後に、前記第１の層とは異なる第２の層で反射される光ビームを第２の光ビームと定義した場合に、前記第１の光ビームと前記第２の光ビームが前記光検出器内の受光面に重複して入射する領域内において、前記第１の光ビームと前記第２の光ビームの偏光方向が互いに直交する領域を形成する形成手段とを備えることを特徴とする光ピックアップ。
【手続補正２】
【補正対象書類名】明細書
【補正対象項目名】０００９
【補正方法】変更
【補正の内容】
【０００９】
上記目的を達成するために、一例として、特許請求の範囲に記載の発明が提供される。